(57)【要約】【課題】再生装置において静止画及び音楽のいずれも途中で終了させることなく同時再生することを可能にする。【解決手段】制御部１は操作部９からの入力信号に応じて記憶部１０から読み出した音楽データの再生時間を静止画データファイルの枚数で除して、静止画データファイルの一枚あたりの表示時間（Ａ）を算出し、静止画データファイルの一枚あたりの表示時間（Ａ）と予め任意に設定された静止画データファイルの一枚あたりの最小表示時間（Ｂ）とを比較してどちらの時間が長いかを判断する。その結果、静止画データファイルの一枚あたりの表示時間（Ａ）の方が最小表示時間（Ｂ）より長いと判断した場合は静止画データファイルの一枚あたりの表示時間（Ａ）によって再生し、最小表示時間（Ｂ）の方が静止画データファイルの一枚あたりの表示時間（Ａ）より長いと判断した場合は最小表示時間（Ｂ）によって再生する。【選択図】図２
2006025207.tif 000002
【特許請求の範囲】
【請求項１】
静止画データ及び音楽データを同時再生する再生装置において、
ユーザによって視聴したい静止画データ及び音楽データを選択することのできる操作部と、
前記操作部において選択された音楽データの再生にかかる所要時間を算出すると共に、同様に選択された静止画データファイルの枚数を算出し、その音楽データの再生時間をその静止画データファイルの枚数で除して、静止画データファイルの一枚あたりの表示時間を算出する制御部と、
前記制御部によって算出された表示時間に従って前記静止画データを順次再生すると共に、前記音楽データを同時再生するデータ再生部と、
を備えることを特徴とする再生装置。
【請求項２】
前記制御部は、前記静止画データファイルの一枚あたりの表示時間と、予め任意に設定された静止画データファイルの一枚あたりの最小表示時間とを比較してどちらの時間が長いかを判断し、
前記データ再生部は、前記制御部が前記静止画データファイルの一枚あたりの表示時間の方が長いと判断した場合は、その静止画データファイルの一枚あたりの表示時間によって前記静止画データを再生し、前記制御部が前記最小表示時間の方が長いと判断した場合は、その最小表示時間によって前記静止画データを再生することを特徴とする請求項１に記載の再生装置。
【請求項３】
前記制御部は、前記最小表示時間が前記静止画データファイルの一枚あたりの表示時間より長いと判断した場合は、前記静止画データの全ファイルの枚数と、前記音楽データの再生時間を前記最小表示時間で除した数との差をとることにより、表示できない静止画データファイルの枚数を算出し、
前記データ再生部は、前記表示できない静止画データファイルの枚数に対応して前記静止画データの再生が終了するまで前記音楽データを継続して再生することを特徴とする請求項２に記載の再生装置。
【発明の詳細な説明】
【技術分野】
【０００１】
本発明は、再生装置に関する。
【背景技術】
【０００２】
近年、モニター及びスピーカの双方を備えた再生装置が開発されている。このような再生装置によれば、静止画データを再生してモニターに静止画を表示することが可能であると共に、音楽データを再生してスピーカから音声を出力することが可能である。
【０００３】
しかし、従来の再生装置では音楽データを再生する際はモニターに何も表示されないか、壁紙やオペレーション画面が表示されるのみだった。また、静止画データを再生する際はスピーカから音声が出力されていなかった。したがって、ユーザは音楽を聴いている状態では視覚的に楽しむことができず、また、静止画をみている状態では音楽を楽しむことはできなかった。このように、モニター及びスピーカを備えた再生装置であっても、静止画及び音楽が同時再生されていなかったため、モニター及びスピーカ双方の再生機能を十分に生かしているとはいえなかった。
【０００４】
そこで、複数の静止画データに関連付けて記録した一つの音楽データを、その複数の静止画データの連続再生中に同時に再生することのできる再生装置が知られている（特許文献１）。
【０００５】
特許文献１の再生装置においては、複数のデジタル化された静止画データ及びそれに対応する一つのデジタル化された音楽データに共通のグループ番号を付与して同一の記録媒体に記録し、記録媒体から共通のグループ番号を有する静止画データと音楽データとを再生して、静止画データによって複数の静止画を順次表示すると共に、音楽データによって複数の静止画の連続再生中に音声を出力するようになっている。
【０００６】
このような再生装置によれば、次のような動作により音楽データ及び静止画データの同時再生処理が行われる。図３はユーザが任意の音楽ファイルを選択した場合の制御部による処理を示すフローチャートである。すなわち、まずユーザにより音楽ファイルの再生指示が行われると（ステップＳ１１）、音楽ファイルの再生が開始される（ステップＳ１２）。その後、選択された音楽ファイルに関連付けられた静止画データファイルのスライドショーが開始される（ステップＳ１３）。そして、音楽の再生時間が終了すると（ステップＳ１４）、その時点で静止画データファイルの再生も終了される（ステップＳ１５）。一方、図４はユーザが任意の静止画データファイルを選択した場合の制御部による処理を示すフローチャートである。ユーザにより静止画データファイルの再生指示が行われると（ステップＳ２１）、静止画のスライドショーが開始される（ステップＳ２２）。その後、選択された静止画データファイルに関連付けられた音楽ファイルの再生が開始される（ステップＳ２３）。そして、静止画データファイルの再生枚数が終了すると（ステップＳ２４）、その時点で音楽ファイルの再生も終了される（ステップＳ２５）。
【０００７】
この再生装置によれば、ユーザが静止画又は音楽のいずれかの再生指示を行うのみで、その静止画又は音楽に関連付けされた音楽又は静止画が自動的に同時再生される。したがって、ＢＧＭと共に連続した静止画の再生が行われることによって、ユーザは臨場感のある静止画及び音楽の視聴を楽しむことができる。
【特許文献１】特開２０００−１９６９９９号公報
【発明の開示】
【発明が解決しようとする課題】
【０００８】
しかしながら、特許文献１の再生装置では、静止画データの再生時間は音楽データの再生時間を考慮することなく決定され、また、音楽データの再生時間は静止画データファイルの枚数及び静止画データファイルの一枚あたりの再生時間を考慮することなく決定されるようになっていた。
【０００９】
すなわち、静止画データ及び音楽データは相互のデータ状態を考慮せずに同時再生されるため、図３のように音楽データを選択して再生を開始した場合は、音楽の再生時間が終了した時点で静止画データのスライドショーが中断してしまう場合があった。また、図４のように静止画データを選択して再生を開始した場合は、静止画のスライドショーが終了した時点で音楽の再生が中断してしまう場合があった。
【００１０】
このためユーザにとっては、聴きたい音楽データの再生が途中で停止されるという問題や、スライドショーの中断によってみたい静止画が再生されない場合があるという問題があった。また、モニターの画面が最終静止画のまま停止することで、再生装置が故障したのではないかという不安をもつという問題もあった。
【００１１】
本発明の課題は、静止画及び音楽の同時再生において、静止画及び音楽のいずれも途中で終了することなく視聴することのできる再生装置を提供することにある。
【課題を解決するための手段】
【００１２】
このような課題を解決するため、請求項１に記載の発明は、静止画データ及び音楽データを同時再生する再生装置において、ユーザによって視聴したい静止画データ及び音楽データを選択することのできる操作部と、前記操作部において選択された音楽データの再生にかかる所要時間を算出すると共に、同様に選択された静止画データファイルの枚数を算出し、その音楽データの再生時間をその静止画データファイルの枚数で除して、静止画データファイルの一枚あたりの表示時間を算出する制御部と、前記制御部によって算出された表示時間に従って前記静止画データを順次再生すると共に、前記音楽データを同時再生するデータ再生部と、を備えることを特徴とする。
【００１３】
請求項２に記載の発明は、請求項１に記載の再生装置であって、前記制御部は、前記静止画データファイルの一枚あたりの表示時間と、予め任意に設定された静止画データファイルの一枚あたりの最小表示時間とを比較してどちらの時間が長いかを判断し、前記データ再生部は、前記制御部が前記静止画データファイルの一枚あたりの表示時間の方が長いと判断した場合は、その静止画データファイルの一枚あたりの表示時間によって前記静止画データを再生し、前記制御部が前記最小表示時間の方が長いと判断した場合は、その最小表示時間によって前記静止画データを再生することを特徴とする。
【００１４】
請求項３に記載の発明は、請求項２に記載の再生装置であって、前記制御部は、前記最小表示時間が前記静止画データファイルの一枚あたりの表示時間より長いと判断した場合は、前記静止画データの全ファイルの枚数と、前記音楽データの再生時間を前記最小表示時間で除した数との差をとることにより、表示できない静止画データファイルの枚数を算出し、前記データ再生部は、前記表示できない静止画データファイルの枚数に対応して前記静止画データの再生が終了するまで前記音楽データを継続して再生することを特徴とする。
【発明の効果】
【００１５】
本発明によれば、静止画及び音楽のいずれも途中で終了させることなく同時再生することができる。したがって、ユーザにとっては聴きたい音楽又はみたい静止画の再生が中断されるという不都合がなく、また、モニターの画面が最終静止画のまま停止することにより再生装置が故障したのではないかという不安をもつこともなく、臨場感あふれる静止画及び音楽の同時再生を楽しむことができるという効果を得ることができる。
【発明を実施するための最良の形態】
【００１６】
以下、図を参照して、本発明を実施するための最良の形態を詳細に説明する。
【００１７】
本実施形態における再生装置としては、パソコンや、モニター及びスピーカを接続したＤＶＤプレーヤなどが適当であるが、これに限定されるものではない。
【００１８】
図１は本発明に係る再生装置の構成を示すブロック図である。
【００１９】
図１に示すように、再生装置は、ＣＰＵ（Central Processing Unit）２と、制御又は判断など各種処理用のプログラムや各種データが格納されたＲＯＭ３と、各種処理における作業領域や各種処理によって生成されたデータを一時的に記録するＲＡＭ４などから構成された制御部１を備えている。制御部１は、ＲＯＭ３に記録された処理プログラムをＲＡＭ４に展開してＣＰＵ２によりこの処理プログラムを実行するようになっている。特に本実施形態においては、複数の静止画を所定時間ずつ順次切り替えてモニター１５に表示するスライドショーを実現するプログラムがＲＯＭ３に格納されており、このプログラムの実行によって静止画の再生処理を制御するようになっている。
【００２０】
制御部１には、データ入力部５、エンコーダ８、記憶部１０、操作部９、デコーダ１１、ビデオＤＡＣ１２、オーディオＤＡＣ１３及びデータ再生部１４が、それぞれインターフェースを介して接続されている。
【００２１】
データ入力部５は、ＣＤ、ＤＶＤ又はフラッシュメモリを採用したメモリカードなどの記録媒体を装填する記録媒体装填部６と、デジタルカメラなどの記録媒体である撮影機器を有線、無線又は赤外線などによって接続するための機器接続部７などから構成されており、静止画データ及び音楽データを再生装置に入力することができるようになっている。データ入力部５においては、記録媒体から静止画データ及び音楽データの双方又は一方を読み出すと共に記憶部１０に記憶するようになっている。なお、静止画データ及び音楽データは、インターネットによる音楽配信サービスを行っているウェブサイトから音楽データをダウンロードするなどして記憶部１０に直接記憶させるようにすることもできる。
【００２２】
エンコーダ８は、データ入力部５において読み出された静止画データ及び音楽データをＪＰＥＧ（Joint Photographic Experts Group）、ＭＰ３（MPEG1 Audio Layer-3）、ＡＴＲＡＣ（登録商標）（Adaptive Transform Acoustic Coding）などの所定の圧縮ファイル形式に圧縮エンコードする。このように、静止画データ及び音楽データはエンコーダ８において別々のファイル形式に圧縮されるようになっている。
【００２３】
記憶部１０は、読み出し及び書き込み自在な大容量の記憶デバイスであるＨＤＤ（Hard Disk Drive）から構成されており、静止画データ及び音楽データを記憶することができるようになっている。記憶部１０には、所定のファイル形式に圧縮された静止画データ及び音楽データがそれぞれ別ファイルとして記憶されるようになっている。
【００２４】
操作部９は、カーソルキー、数字入力キー及び各種機能キーなどを備えたキーボードと、マウスなどのポインティングデバイスを備えて構成されている。また、操作部９はモニター１５の画面上にタッチパネルとして備えてもよい。操作部９において、ユーザが視聴したい音楽又は静止画を選択してキーボードに対するキー操作やマウス操作により入力すると、入力された指示信号は制御部１に出力されるようになっている。
【００２５】
また、操作部９においては、キーボード入力などによって、静止画データファイルの一枚あたりの最小表示時間（Ｂ）を予め任意に設定し、記憶部１０に記憶させることができるようになっている。ここでいう最小表示時間（Ｂ）とは、複数の静止画データファイルが順次切り替えて再生される中で、少なくともユーザが各静止画の内容を確認するのに必要十分な静止画データファイルの一枚あたりの表示時間である。
【００２６】
デコーダ１１は、エンコーダ８において所定のファイルに圧縮エンコードされた静止画データ及び音楽データをデコード（復号処理）する。
【００２７】
ビデオＤＡＣ１２及びオーディオＤＡＣ１３は、デコードされた静止画データ及び音楽データをデジタル信号からアナログ信号に変換する。
【００２８】
データ再生部１４は、モニター１５及びスピーカ１６から構成されており、静止画及び音楽を再生することができるようになっている。すなわち、デコーダ１１によりデコードされ、ビデオＤＡＣ１２によってデジタル信号からアナログ信号に変換された静止画データを、ＬＣＤやＣＲＴなどにより構成されるモニター１５の表示画面上に静止画として表示するようになっている。また、デコーダ１１によりデコードされ、オーディオＤＡＣ１３によってデジタル信号からアナログ信号に変換された音楽データを、音声としてスピーカ１６から出力するようになっている。
【００２９】
制御部１は、データ入力部５から読み出された静止画データファイルの枚数、音楽データの再生時間及び静止画データファイルの一枚あたりの表示時間（Ａ）を算出することができるようになっている。
【００３０】
すなわち、制御部１はデータ入力部５において読み出された音楽データの再生にかかる所要時間を算出して記憶部１０に記憶すると共に、同様に読み出された静止画データファイルの枚数を算出して記憶部１０に記憶するようになっている。
【００３１】
ここで、制御部１は、操作部９においてユーザが選択した静止画データ又は音楽データを、記憶部１０から読み出すことができるようになっている。
【００３２】
そして、制御部１は、操作部９におけるユーザの選択に従って読み出された静止画データ及び音楽データと共に、その静止画データファイルの枚数及びその音楽の再生時間も記憶部１０から読み出す。その後、記憶部１０から読み出した音楽データの再生時間を、同様に読み出した静止画データファイルの枚数で除して、静止画データファイルの一枚あたりの表示時間（Ａ）を算出するようになっている。
【００３３】
さらに、制御部１は、静止画データファイルの一枚あたりの表示時間（Ａ）と、予め任意に設定され記憶部１０に記憶された最小表示時間（Ｂ）とを比較して、どちらが長いかを判断するようになっている。
【００３４】
その結果、静止画データファイルの一枚あたりの表示時間（Ａ）の方が最小表示時間（Ｂ）より長いと判断した場合は静止画データファイルの一枚あたりの表示時間（Ａ）によって再生する再生モードを指定する。一方、最小表示時間（Ｂ）が静止画データファイルの一枚あたりの表示時間（Ａ）より長いと判断した場合は、制御部１が読み出した静止画データの全ファイルの枚数と読み出した音楽データの再生時間を最小表示時間（Ｂ）で除した数との差をとることにより、表示できない静止画データファイルの枚数（Ｃ）を算出するようになっている。
【００３５】
そして、表示できない静止画データファイルの枚数（Ｃ）が算出された場合は、その表示できない静止画データファイルの枚数（Ｃ）をモニター１５に表示させてユーザに告知すると共に、モニター１５に再生モードの選択画面を表示させる。再生モードの選択画面は、音楽データの再生時間が終了すると共に静止画データファイルの表示を終了するか又は静止画データの全ファイルを表示するかをユーザが選択できるようになっている。そして、ユーザが音楽データの再生時間が終了すると共に静止画データファイルの表示を終了する方を選択した場合は、音楽の再生が終了した時点で静止画の再生も終了する再生モードを指定し、静止画データの全ファイルを表示する方を選択した場合は、静止画の再生が終了するまで音楽を継続して再生する再生モードを指定するようになっている。その後、指定された再生モードに従ってデータ再生部１４に再生処理を行わせるようになっている。なお、本実施形態において、静止画の再生が終了するまで音楽を継続して再生する方が指定された場合は同じ音楽がリピート再生されるようになっているが、静止画と関連付けられた他の音楽を再生するようにしてもよい。
【００３６】
さらに、制御部１は記憶部１０から読み出した静止画データをデータ再生部１４のビデオＤＡＣ１２においてデジタル信号からアナログ信号に変換した上で、モニター１５に静止画を表示すると共に、音楽データをオーディオＤＡＣ１３においてデジタル信号からアナログ信号に変換し、スピーカ１６から音声を出力するようになっている。
【００３７】
次に、図２のフローチャートを参照して、制御部１により実行される同時再生処理の動作について説明する。
【００３８】
まず、ユーザが操作部９において視聴したい静止画データ又は音楽データを選択して入力すると（ステップＳ１）、制御部１はその選択に従って静止画データ又は音楽データを記憶部１０から読み出すと共に、その静止画データファイルの枚数又はその音楽の再生時間を算出して記憶部１０に記憶させる。
【００３９】
次に、ユーザは同時再生したい音楽データ及び静止画データを選択し、操作部９において入力する。ユーザにより同時再生したい音楽データ及び静止画データが選択されると、制御部１はその選択に従って音楽データ及び静止画データを記憶部１０から読み出すと共に、その静止画データファイルの枚数及び音楽データの再生時間を記憶部１０から読み出す。
【００４０】
ここで、同時再生したい静止画データ及び音楽データを操作部９において選択する方法としては、複数の静止画データが格納されたフォルダとそれに関連する音楽データが格納されたフォルダとをそれぞれ選択する方法や、個々の静止画データファイルのうちユーザがみたいものを選択すると共に、それに関連する音楽データを選択する方法などが考えられる。
【００４１】
その後、制御部１は、記憶部１０から読み出した音楽データの再生時間を、同様に読み出した静止画データファイルの枚数で除して、静止画データファイルの一枚あたりの表示時間（Ａ）を算出して記憶部１０に記憶させる（ステップＳ２）。
【００４２】
そして、制御部１は算出された静止画データファイルの一枚あたりの表示時間（Ａ）と予め任意に設定された静止画データファイルの一枚あたりの最小表示時間（Ｂ）とを比較し、どちらの時間が長いかを判断する（ステップＳ３）と共に、この判断結果を記憶部１０に記憶させる。
【００４３】
その結果、静止画データファイルの一枚あたりの表示時間（Ａ）の方が最小表示時間（Ｂ）より長いと判断した場合は静止画データファイルの一枚あたりの表示時間（Ａ）によって再生する再生モードを指定する（ステップＳ４）。一方、最小表示時間（Ｂ）が静止画データファイルの一枚あたりの表示時間（Ａ）より長いと判断した場合は、制御部１において、読み出した静止画データの全ファイルの枚数と、読み出した音楽データの再生時間を最小表示時間（Ｂ）で除した数との差をとることにより、表示できない静止画データファイルの枚数（Ｃ）を算出する（ステップＳ５）。
【００４４】
そして、表示できない静止画データファイルの枚数（Ｃ）が算出された場合は、その表示できない静止画データファイルの枚数（Ｃ）をモニター１５に表示させてユーザに告知する（ステップＳ６）。モニター１５には再生モードの選択画面が表示され、音楽データの再生時間が終了すると共に静止画データファイルの表示を終了するか又は静止画データの全ファイルを表示するかをユーザが選択できるようになっている（ステップＳ７）。そして、ユーザが音楽データの再生時間が終了すると共に静止画データファイルの表示を終了する方を選択した場合は、音楽の再生が終了した時点で静止画の再生も終了する再生モードが指定される（ステップＳ８）。一方、静止画データの全ファイルを表示する方を選択した場合は、静止画の再生が終了するまで音楽を継続して再生する再生モードが指定される（ステップＳ９）。
【００４５】
さらに、制御部１は記憶部１０から読み出した静止画データをデータ再生部１４のビデオＤＡＣ１２においてデジタル信号からアナログ信号に変換すると共に、音楽データをオーディオＤＡＣ１３においてデジタル信号からアナログ信号に変換する。
【００４６】
そして、制御部１は、指定された再生モードに従って、データ再生部１４に再生処理を行わせる（ステップＳ１０）。この際、制御部１はスライドショーを実現するプログラムを記憶部１０から読み出し、このプログラムに従って静止画の画像表示を制御することにより、指定された再生モードに従って、音楽をＢＧＭとして各静止画データファイルを順次画像表示させる。
【００４７】
すなわち、算出された静止画データファイルの一枚あたりの表示時間（Ａ）が最小表示時間（Ｂ）より大きい場合には、静止画データファイルの一枚あたりの表示時間（Ａ）によって静止画の再生処理が行われる。これにより、音楽の再生時間と全静止画データファイルの再生時間は等しくなり、静止画及び音楽はいずれも再生途中で中断することなく、静止画及び音楽の再生処理は同時に終了する。
【００４８】
また、最小表示時間（Ｂ）の方が静止画データファイルの一枚あたりの表示時間（Ａ）より長い場合は、最小表示時間（Ｂ）によって静止画の再生を行うことにより、一枚の静止画データファイルを表示するための最小限の時間が確保される。したがって、静止画データファイルの枚数が多い場合や、音楽の再生時間が短い場合でも、静止画データファイルの一枚あたりの表示時間（Ａ）が短すぎてユーザが各静止画の内容を確認することができないということはなくなる。
【００４９】
また、最小表示時間（Ｂ）の方が静止画データファイルの一枚あたりの表示時間（Ａ）より長い場合は、音楽の再生中に表示しきれない静止画データファイルの枚数（Ｃ）を表示してユーザに告知することから、ユーザがみることを期待していた静止画が再生されないという事態や、ユーザが故障したのではないかという不安をもつという事態が回避される。
【００５０】
さらに、音楽の再生中に表示できない静止画データファイルの枚数（Ｃ）がある場合でも、ユーザは静止画の再生が終了するまで音楽の再生が行われる再生モードを選択することができる。本実施形態においては、この再生モードを選択すると同じ音楽がリピート再生されるようになっているが、静止画と関連付けられた他の音楽を再生するようにすることもできる。これにより、静止画データファイルの枚数が多い場合や、音楽の再生時間が短い場合でも、音楽が途切れることなく、音楽をＢＧＭとして静止画を最後まで再生することができる。
【００５１】
なお、ユーザが視聴したい静止画データ又は音楽データとして、操作部９において以前と同様の静止画データ又は音楽データを選択して入力した場合は、静止画データファイルの一枚あたりの表示時間（Ａ）が記憶部１０に記憶されていることから、ステップＳ２の処理を省略してステップＳ３の処理が行われるようにすることもできる。これにより、速やかな再生処理が行われるようになる。
【００５２】
また、静止画データファイルの一枚あたりの表示時間（Ａ）及び最小表示時間（Ｂ）のどちらが長いかという判断結果も記憶部１０に記憶されていることから、最小表示時間（Ｂ）の設定にも変更がない場合は、制御部１がこの判断結果を記憶部１０から読み出すことでステップＳ３の処理を省略し、ステップＳ４又はステップ５の処理を行うようにすることもできる。これにより、さらに速やかな再生処理が行われるようになる。
【００５３】
なお、以上は静止画データ及び音楽データの双方を記憶部１０に記憶してからユーザが同時再生したい音楽データ及び静止画データを選択する場合について説明したが、本発明は記録媒体装填部６に装填されたＣＤなどの記録媒体から音楽データを読み出して再生する際に、その音楽データと共に同時再生したい静止画データを選択して記憶部１０から読み出す場合においても適用可能である。その場合は、記録媒体装填部６にＣＤが装填されると、制御部１がその音楽データの再生時間を算出して記憶部１０に記憶すると共に、その音楽データと同時再生するものとして選択された静止画データ及びその静止画データファイルの枚数を記憶部１０から読み出して、上記と同様の演算を行った上で同時再生することができる。
【００５４】
以上述べたように本発明によれば、算出した静止画データファイルの一枚あたりの表示時間（Ａ）に従って静止画データファイルを表示することで、音楽の再生時間と静止画データの全ファイルの再生時間は等しくなり、静止画及び音楽のいずれも中断することなく同時再生が終了する。
また、少なくとも最小表示時間（Ｂ）が静止画データファイルの一枚あたりの再生時間として確保されることで、音楽の再生時間が短い場合や静止画データファイルの枚数が多い場合でもユーザは各静止画の内容を確実に認識することができる。
さらに、音楽の再生中に表示できない静止画データファイルの枚数（Ｃ）がある場合でも、その旨をユーザに告知することから、ユーザがみることを期待していた静止画が再生されないという事態や、静止画が最終画面で停止しても、ユーザが故障したのではないかという不安をもつという事態が回避される。また、ユーザの選択により音楽をリピート再生することで、音楽を途切れさせることなく、音楽をＢＧＭとして静止画を最後まで再生することができる。
このように静止画データファイルの枚数及び音楽の再生時間を関連付けて同時再生することで、ユーザにとっては聴きたい音楽又はみたい静止画の再生が中断されるという不都合がなく、また、中断により再生装置が故障したのではないかという不安をもつこともなく、臨場感あふれる静止画及び音楽の同時再生を楽しむことができるという効果を得ることができる。
【図面の簡単な説明】
【００５５】
【図１】本発明の実施形態の再生装置の構成を示すブロック図である。
【図２】本発明の実施形態の制御部が行う同時再生処理の動作を示すフローチャートである。
【図３】従来の再生装置において制御部が行う同時再生処理の動作を示すフローチャートである。
【図４】従来の再生装置において制御部が行う同時再生処理の動作を示すフローチャートである。
【符号の説明】
【００５６】
１  制御部
２  ＣＰＵ
３  ＲＯＭ
４  ＲＡＭ
５  データ入力部
６  記録媒体装填部
７  機器接続部
８  エンコーダ
９  操作部
１０  記憶部
１１  デコーダ
１２  ビデオＤＡＣ
１３  オーディオＤＡＣ
１４  データ再生部
１５  モニター
１６  スピーカ
【図１】
2006025207.tif 000003
【図２】
2006025207.tif 000004
【図３】
2006025207.tif 000005
【図４】
2006025207.tif 000006